(57)【特許請求の範囲】
【請求項１】
第１の位相差機能を発現し、第１の光学軸を有する第１位相差部と、第２の位相差機能を発現し、第２の光学軸を有する第２位相差部とが、交互に配列された位相差板であって、
前記位相差板は、
前記位相差部が配列されている面にシリコーンゴム又はウレタンゴムを主成分とする吸着層と、
前記吸着層を保護する離型フィルムであって、複屈折性を有しないＴＡＣ（トリアセチルセルロース）フィルム又は複屈折性を有し、配向軸が前記第１の光学軸又は前記第２の光学軸と平行又は垂直となるように設けられたＰＥＴ（ポリエチレンテレフタレート）フィルムである離型フィルムとを備え、
前記離型フィルムは、３つに分割されてなり、中央の離型フィルムは両端の離型フィルムよりも小さく、前記中央の離型フィルムを引き剥がして前記吸着層を表示部の前面と向かい合うように載置した際に、露出した前記吸着層が前記表示部に接触しない大きさで構成された位相差板。
【請求項２】
前記位相差板のサイズが、前記表示部のサイズである８インチから１５．６インチの範囲内であり、
前記中央の離型フィルムが前記吸着層を実際に覆う面積は前記位相差板全体の面積に対して約２５％であり、
前記両端の離型フィルムが前記吸着層を実際に覆う面積は前記位相差板全体の面積に対してそれぞれ約３７％である請求項１に記載の位相差板。
【請求項３】
第１の位相差機能を発現し、第１の光学軸を有する第１位相差部と、第２の位相差機能を発現し、第２の光学軸を有する第２位相差部とが、交互に配列され、前記位相差部が配列されている面にシリコーンゴム又はウレタンゴムを主成分とする吸着層と、前記吸着層を保護する離型フィルムであって、複屈折性を有しないＴＡＣ（トリアセチルセルロース）フィルム又は複屈折性を有し、配向軸が前記第１の光学軸又は前記第２の光学軸と平行又は垂直であるＰＥＴ（ポリエチレンテレフタレート）フィルムであり、３つに分割され、中央の離型フィルムは両端の離型フィルムよりも小さい離型フィルムとを備える位相差板において、
前記中央の離型フィルムを剥がす剥離段階と、
前記位相差板を表示部に載置し、その載置の際に、露出した前記吸着層を前記表示部に接触しないように載置する載置段階と、
前記位相差板の位置合わせをする位置合わせ段階と、
前記中央の離型フィルムを剥がしたことにより露出した前記吸着層を前記表示部に貼り合わせる貼合段階と、
前記位相差板から前記両端の離型フィルムを剥がす剥離段階と、
前記位相差板を表示部に貼り合わせる貼合段階と、を備える位相差板を表示部に貼り付ける貼付方法。
【請求項４】
前記位相差板のサイズが、前記表示部のサイズである８インチから１５．６インチの範囲内であり、
前記離型フィルムのうち前記中央の離型フィルムが前記吸着層を実際に覆う面積は前記位相差板全体の面積に対して約２５％であり、
前記両端の離型フィルムが前記吸着層を実際に覆う面積は前記位相差板全体の面積に対してそれぞれ約３７％である請求項３に記載の位相差板を表示部に貼り付ける貼付方法。
【発明の詳細な説明】
【技術分野】
【０００１】
本発明は、位相差板及び位相差板の貼付方法に関する。
【背景技術】
【０００２】
液晶ディプレイ等の表示部に貼り付ける位相差板が知られている（例えば、特許文献１参照）。
【先行技術文献】
【特許文献】
【０００３】
【特許文献１】特開２００９−１７５５５１号公報
【発明の概要】
【発明が解決しようとする課題】
【０００４】
しかしながら、液晶ディスプレイの表示部に位相差板を貼り合わせるために使用される粘着剤又は接着剤は、一度貼り合わせをしてしまうと貼り直しが難しく、さらに位相差板と表示部との位置の調整において、位相差板を円滑に移動させかつ微調整することが困難であるといった課題がある。
【課題を解決するための手段】
【０００５】
本発明の第１の態様においては、第１の位相差機能を発現する第１の位相差部と、第２の位相差機能を発現する第２の位相差部とが、交互に配列された位相差板であって、前記位相差板は、前記位相差部が配列されている面にシリコーンゴム又はウレタンゴムを主成分とする吸着層と、前記吸着層を保護する離型フィルムと、を備える位相差板を提供する。
【０００６】
本発明の第２の態様においては、第１の位相差機能を発現する第１の位相差部と、第２の位相差機能を発現する第２の位相差部とが、交互に配列され、前記位相差部が配列されている面にシリコーンゴム又はウレタンゴムを主成分とする吸着層と、前記吸着層を保護する２つ以上に分割される離型フィルムとを備える位相差板において、一の離型フィルムを剥がす剥離段階と、前記位相差板を表示部に載置する載置段階と、前記位相差板の位置合わせをする位置合わせ段階と、前記位相差板から他の離型フィルムを剥がす剥離段階と、前記位相差板を表示部に貼り合わせる貼合段階と、を備える位相差板を表示部に貼り付ける貼付方法を提供する。
【０００７】
尚、上記の発明の概要は、本発明の必要な特徴の全てを列挙したものではない。また、これらの特徴群のサブコンビネーションもまた、発明となりうる。
【図面の簡単な説明】
【０００８】
【図１】位相差板１８が貼り付けられた制御装置１０の全体構成図である。
【図２】図１のＩＩ−ＩＩ線に沿った縦断面図である。
【図３】表示部１６及び位相差板１８の分解斜視図である。
【図４】離型フィルム付き位相差板６０の縦断面図である。
【図５】位相差板１８の貼り付け方法を説明する図である。
【図６】位相差板１８の貼り付け方法を説明する図である。
【図７】位相差板１８の貼り付け方法を説明する図である。
【図８】位相差板１８の貼り付け方法を説明する図である。
【図９】位相差板１８の位置合わせ方法を説明する概略平面図である。
【図１０】位相差板１８の位置合わせ方法を説明する概略平面図である。
【図１１】位相差板１８の位置合わせ方法を説明する概略平面図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、位相差板１８が貼り付けられた制御装置１０の全体構成図である。図１に示すように、制御装置１０の一例は、パーソナルコンピュータである。制御装置１０は、各部を収容及び保持する枠体１２と、ユーザが指示等を入力する操作部１４と、画像を表示する表示部１６とを有する。位相差板１８は、表示部１６よりも一回り小さい長方形状に形成されている。例えば、表示部１６の大きさがＡ４サイズである場合、位相差板１８は、２５０ｍｍ×１５０ｍｍの長方形状である。位相差板１８は、例えば、０．３ｍｍの厚みを有する。位相差板１８は、表示部１６の中央部に貼り付けられる。
【００１１】
図２は、図１のＩＩ−ＩＩ線に沿った縦断面図である。図２に示すように、位相差板１８は、吸着層２２と、位相差部２４とを有する。
【００１２】
吸着層２２は、表示部１６の前面に設けられている。吸着層２２は、位相差板１８を表示部１６に吸着して保持する。吸着層２２は、表示部１６に位相差板１８を貼り合わせた後剥がして、再度貼り合わせができる機能を有する。吸着剤の例としては、シリコーンゴム又はウレタンゴムを主成分とする吸着剤を用いることができる。
【００１３】
位相差部２４は、吸着層２２を介して、表示部１６の前面に設けられている。位相差部２４には、同じ偏光特性の偏光からなる右目用画像及び左目用画像が入力される。位相差部２４は、両画像を互いに偏光特性の異なる偏光からなる右目用画像及び左目用画像に変換して出力する。ユーザは、三次元画像用の眼鏡３０を介して、これらの画像を見る。
【００１４】
図３は、表示部１６及び位相差板１８の分解斜視図である。図３に示すように、表示部１６は、光源３２と、偏光板３４と、画像出力部３６と、偏光板３８とを備える。
【００１５】
光源３２は、面内において略均一な強度で、白色の無偏光を出力する。光源３２は、ユーザから見て、表示部１６の最後方に配置されている。光源３２には、拡散板と冷陰極管（ＣＣＦＬ：Cold Cathode Fluorescent Lamp）とを組み合わせた光源、フレネルレンズと発光ダイオードとを組み合わせた光源、有機ＥＬ（Electro-Luminescence）を含む光源等を適用できる。
【００１６】
偏光板３４は、光源３２の前面に接着されている。偏光板３４は、ＰＶＡ（ポリビニルアルコール）を含む樹脂によって構成されている。尚、偏光板３４を構成する材料は、適宜変更してよい。図３の矢印で示すように、偏光板３４は、水平方向から４５°傾斜した透過軸と、透過軸と直交する吸収軸とを有する。これにより、光源３２から出力されて、偏光板３４に入射した無偏光の光のうち、振動方向が偏光板３４の透過軸と平行な成分は透過するとともに、吸収軸と平行な成分は吸収されて遮断される。このため偏光板３４から出力される光は、偏光板３４の透過軸と平行な偏光軸を有する直線偏光となる。
【００１７】
画像出力部３６は、偏光板３４の前面に設けられている。画像出力部３６は、画像を生成する複数の画素（＝ピクセル）を有する。複数の画素は、鉛直方向及び水平方向に一定のピッチで二次元に配列されている。画素は、画像を扱うときの単位をいい、色調及び階調の色情報を出力する。各画素は、３個の副画素（＝サブピクセル）を有する。各副画素は、液晶部と、液晶部の前後面に形成された一対の透明電極とを有する。透明電極は、液晶部に電圧を印加する。電圧が印加された副画素の液晶部は、直線偏光の偏光軸を９０°回転させる。これにより、画像出力部３６は、後述する偏光板３８を透過する光と遮断される光とを出力して、画像を生成する。各画素に含まれる３個の副画素は、それぞれ赤色のカラーフィルタと、緑色のカラーフィルタと、青色のカラーフィルタとを含む。副画素の透明電極の電圧印加を制御することにより、副画素から出力される赤色、青色、緑色の光の程度を調整して、カラー画像が生成される。
【００１８】
画像出力部３６は、二次元画像及び三次元画像を出力する。画像出力部３６は、二次元画像を出力する場合、全面から画像を出力する。一方、画像出力部３６は、三次元画像を出力する場合、中央部の三次元領域４０から画像を出力する。三次元領域４０は、図３に「Ｒ」及び「Ｌ」で示すように、右目用の画像を出力する右目用画像出力部４２及び左目用の画像を出力する左目用画像出力部４４を有する。右目用画像出力部４２及び左目用画像出力部４４は、水平方向に延びる長方形状であって、互いに同形状である。右目用画像出力部４２及び左目用画像出力部４４は、鉛直方向に沿って、交互に配置されている。
【００１９】
偏光板３８は、画像出力部３６の前面に設けられている。偏光板３８は、ＰＶＡ（ポリビニルアルコール）を含む樹脂によって構成されている。偏光板３８は、透過軸と、透過軸と直交する吸収軸とを有する。偏光板３８の透過軸は、偏光板３４の透過軸と直交する。これにより、画像出力部３６によって偏光軸が、９０°回転された直線偏光は、偏光板３８を透過して画像光となり画像を形成する。一方、画像出力部３６によって偏光軸が回転されなかった直線偏光は、偏光板３８によって遮断される。尚、偏光板３８の透過軸と偏光板３４の透過軸とを９０°以外の角度で交差させてもよい。
【００２０】
図３に示すように、位相差板１８の位相差部２４は、第１の位相差機能を発現する第１位相差部としての右目用位相差部４６及び第２の位相差機能を発現する第２位相差部としての左目用位相差部４８を有する。右目用位相差部４６及び左目用位相差部４８は、水平方向に延びる長方形状であって、右目用画像出力部４２及び左目用画像出力部４４と同形状である。右目用位相差部４６は、右目用画像出力部４２の前方に配置されている。左目用位相差部４８は、左目用画像出力部４４の前方に配置されている。従って、前方から見ると、右目用位相差部４６は右目用画像出力部４２と重なり、左目用位相差部４８は左目用画像出力部４４と重なる。
【００２１】
右目用位相差部４６は、入力された直線偏光の偏光特性を変調させて円偏光にする１／４波長板の位相差機能を有する。右目用位相差部４６の光学軸は、図３の右目用位相差部４６の左端に記載する矢印のように、鉛直方向と平行である。これにより、右目用位相差部４６は、光学軸の矢印の右側に示す矢印のように、表示部１６から入力された直線偏光を右回りの円偏光に変調する。尚、光学軸は、進相軸または遅相軸である。
【００２２】
左目用位相差部４８は、入力された直線偏光の偏光特性を変調させて、右目用位相差部４６が出力する円偏光とは異なる円偏光にする１／４波長板の位相差機能を有する。左目用位相差部４８の光学軸は、図３の左目用位相差部の右端に記載する矢印のように、水平方向と平行である。これにより、左目用位相差部４８は、光学軸の矢印の右側に示す矢印のように、表示部１６から入力された直線偏光を左回りの円偏光に変調する。従って、右目用位相差部４６及び左目用位相差部４８は、入力する偏光の偏光特性を変調させて、互いに異なる偏光特性を有する右目用画像及び左目用画像を出力する。
【００２３】
ユーザが三次元画像を見る場合に使用する眼鏡３０は、右目用レンズ２６と左目用レンズ２８とを有する。右目用レンズ２６は、右回りの円偏光のみを透過する。左目用レンズ２８は、左回りの円偏光のみを透過する。これにより、ユーザの右目は、右目用位相差部４６から出力された右目用の画像のみを視認して、ユーザの左目は、左目用位相差部４８から出力された左目用の画像のみを視認する。
【００２４】
各右目用位相差部４６及び左目用位相差部４８は、基板と、基板上に形成された配向膜及び液晶膜を含む。基板は、シクロオレフィン系のフィルムによって構成することができる。シクロオレフィン系フィルムとして、シクロオレフィンポリマー（＝ＣＯＰ）、より好ましくは、シクロオレフィンポリマーの共重合体であるシクロオレフィンコポリマー（＝ＣＯＣ）を使用することができる。また、基板は、トリアセチルセルロース（＝ＴＡＣ）を含む材料によって構成してもよい。尚、シクロオレフィン系フィルムを使用する場合は、脆弱性の観点から高靭性タイプのフィルムを使用することが好ましい。更に、基板は、ガラスによって構成してもよい。配向膜は、公知の光配向性化合物を適用できる。光配向性化合物の例として、光分解型、光二量化型、光異性化型等の化合物をあげることができる。液晶膜は、紫外線または加熱等によって硬化可能な液晶ポリマーによって構成することができる。液晶膜は、各右目用位相差部４６及び左目用位相差部４８の領域に形成された配向膜の配向に沿って、配向される。
【００２５】
上述した位相差板１８が貼り付けられた表示部１６を有する制御装置１０の三次元画像の表示動作を説明する。尚、二次元画像の表示動作については、通常の表示動作と同様のため省略する。
【００２６】
まず、光源３２から出力された無偏光の光のうち、偏光板３４は、透過軸と平行な方向に振動する光の成分のみを透過する。これにより、偏光板３４は、透過軸と平行な直線偏光を出力する。画像出力部３６の右目用画像出力部４２及び左目用画像出力部４４は、この直線偏光の一部の偏光軸を９０°回転させてから同じ偏光特性を有する右目用画像及び左目用画像を出力する。偏光板３８は、画像出力部３６によって偏光軸が９０°回転された直線偏光のみを透過させる。位相差板１８では、右目用画像出力部４２が偏光板３８を透過した直線偏光を右回りの円偏光に変調させるとともに、左目用画像出力部４４が偏光板３８を透過した直線偏光を左回りの円偏光に変調させる。これにより、眼鏡３０をかけたユーザの右目には、右目用画像出力部４２から出力されて、右目用位相差部４６によって右回りの円偏光に変調された右回りの円偏光からなる右目用画像が入射する。また、ユーザの左目には、左目用画像出力部４４から出力されて、左目用位相差部４８によって左回りの円偏光に変調された左回りの円偏光からなる左目用画像が入射する。これにより、ユーザは、三次元画像を視認する。
【００２７】
図４は、離型フィルム付き位相差板６０の断面図である。以下、前述した構成と同じ構成である場合は、同一番号を付して説明を省略する。離型フィルム付き位相差板６０は、位相差板１８と、離型フィルム６８とを有する。位相差板１８は、吸着層２２と、位相差部２４とを有する。吸着層２２は、位相差部２４の全面に設けられている。ここで、図４において離型フィルム６８の面積と位相差板１８の面積はほぼ同一としているが、離型フィルム６８を位相差板１８よりも大きくしてもよい。これにより離型フィルム６８を位相差板１８から容易に引き剥がすことができる。
【００２８】
離型フィルム６８は、離型フィルム６１と、離型フィルム６２と、離型フィルム６３とを有する。離型フィルム６１、６２及び６３は、吸着層２２の平面において隙間がない形で設けられている。尚、離型フィルム６８は、離型フィルム６１、６２及び６３が一体となっており、各離型フィルムの境界部分に間隔をあけて切り込みが入っている離型フィルムであってもよいし、前記境界部分の厚さ方向において、離型フィルムを切断しない程度の切り込み線が入っていてもよい。離型フィルム６１、６２及び６３は、吸着層２２の表面にゴミ等の付着物が付着することを防止する。離型フィルム６１、６２及び６３の並び方は、本実施形態においては表示部１８の水平方向に対して平行に並んで設けられている。尚、表示部１６の水平方向に対して鉛直に並んで設けられていてもよい。離型フィルムの数は、特に制限はないが、２つ以上であることが好ましく、作業効率、コスト的な観点から２つ又は３つであることがより好ましい。離型フィルムのうち、一の離型フィルムの大きさは他の離型フィルムの大きさより小さい。離型フィルム６１、６２及び６３は、位相差板１８を表示部１６の全面に貼り合わせる際に順番に剥がす。離型フィルム６８は、吸着層２２と接着しないものであれば特に制限はなく、好ましくは離型処理が施されたフィルムが挙げられる。離型処理としては、例えば、シリコーン系離型剤、フッ素系離型剤、長鎖アルキルグラフトポリマー系離型剤等の離型剤や、プラズマ処理により表面処理する方法等が挙げられる。離型フィルム６８に用いるフィルムは、複屈折性を有しないTAC（トリアセチルセルロース）フィルムが挙げられる。複屈折性を有するPET(ポリエチレンテレフタレート)フィルムを用いる場合は、PETフィルムが有する配向軸が位相差板の光学軸と平行又は垂直となるように位相差板１８に設けることが好ましい。離型フィルムの厚さの一例は、３０〜２００μｍである。これにより貼り合わせ作業、位置合わせ作業が容易になる。
【００２９】
図５〜図８は、位相差板１８の貼り付け方法を説明する図である。図５、図６、図７、図８は斜視図である。
【００３０】
図５〜図８において、制御装置１０の操作部１４は、省略する。尚、制御装置１０が完成している状態で、この貼り付け方法を実行するが、制御装置１０の完成前に実行してもよい。
【００３１】
まず、図５に示すように、離型フィルム６８が設けられた位相差板１８を準備する。次に離型フィルム６２を位相差板１８から引き剥がす。本実施形態では、離型フィルム６２が離型フィルム６１及び６３よりも小さい。離型フィルム６２の大きさは、離型フィルム６２を位相差板１８から引き剥がし、位相差板１８を表示部１６の前面に載置した際に、露出した吸着層２２が表示部１６に接触しない程度の大きさであることが好ましい。具体的には、表示部１６のサイズが８インチから１５．６インチの場合において、離型フィルム６２が吸着層２２を実際に覆う面積は位相差板１８全体の面積に対して約２５％であり、他の離型フィルム６１及び６３が吸着層２２を実際に覆う面積は位相差板１８全体の面積に対してそれぞれ約３７％である。これにより貼り合わせを行う際の位置合わせを容易に行うことができる。
【００３２】
次に、図６に示すように、表示部１６の前面に位相差板１８の吸着層２２が露出した面を合わせて、位置合わせを行う。位置合わせの後に、離型フィルム２２を剥がして露出した吸着層２２を表示部１６に押圧しながら貼り合わせる。押圧する方法の一例は、指やゴムベラである。吸着層２２は、貼り合わせた後、剥がして再度貼り合わせることができる吸着層であることが好ましい。位置合わせ方法については後述する。
【００３３】
図７及び図８に示すように、表示部１６と位相差板１８の位置がずれないように、離型フィルム６１及び６３を順番に引き剥がし、露出した吸着層２２を表示部１６に貼り合わせる。貼り合わせの際に表示部１６と吸着層２２との間に介在した空気がある場合は、指やゴムベラを用いて、空気を中央から端部へ押し出すように貼り合わせることが好ましい。
【００３４】
図９、図１０、図１１は、位相差板１８の位置合わせ方法を説明する概略平面図である。尚、図９、図１０、図１１において、離型フィルム６８は省略して説明する。また、図９、図１１において、説明の都合上、右目用画像出力部４２及び左目用画像出力部４４の位置を、右目用位相差部４６及び左目用位相差部４８の位置より左側にしているが、両位置は略同じである。右目用画像出力部４２及び左目用画像出力部４４の形状及び周期は、右目用位相差部４６及び左目用位相差部４８の形状及び周期と見掛け上一致する。しかし、厳密には、両者の形状及び周期は異なる。具体的には、右目用位相差部４６及び左目用位相差部４８の形状及び周期は、右目用画像出力部４２及び左目用画像出力部４４の形状及び周期よりも小さい。尚、右目用位相差部４６は、第１位相差部の一例であって、左目用位相差部４８は、第２位相差部の一例である。
【００３５】
三次元領域４０のうち、図９に細線ハッチングで示す上半分の右目用画像出力部４２を緑色領域９０とする。位置合わせにおいて、緑色領域９０では、緑色単色のベタ画像が全面から出力される。緑色単色のベタ画像は、右目用位相差部４６用の画像であって第１画像の一例である。緑色領域９０は、右目用位相差部４６が設置される領域である。三次元領域４０のうち、図９に太線ハッチングで示す下半分の左目用画像出力部４４を赤色領域９２とする。位置合わせにおいて、赤色領域９２では、緑色領域９０とは色の異なる赤色単色のベタ画像が全面から出力される。赤色単色のベタ画像は、左目用位相差部４８用の画像であって第２画像の一例である。赤色領域９２は、左目用位相差部４８が設置される領域である。三次元領域４０のうち、図９にドットハッチングで示す領域を無画像領域９４とする。位置合わせにおいて、無画像領域９４では、光が出力されず、黒色の画面である。
【００３６】
まず、図９に示すように、右目用位相差部４６及び左目用位相差部４８が、右目用画像出力部４２及び左目用画像出力部４４と完全に重なって、正確に位置合わせされている場合について説明する。この状態では、緑色領域９０から出力された緑色の直線偏光は、右目用位相差部４６によって右回りの円偏光に変調される。また、赤色領域９２から出力された赤色の直線偏光は、左目用位相差部４８によって左回りの円偏光に変調される。ユーザの右目は、右目用位相差部４６と同じ長方形状の緑色の画像を視認するとともに、ユーザの左目は、左目用位相差部４８と同じ長方形状の赤色の画像を視認する。この状態では、ユーザは、表示部１６の水平方向に平行な中心線に関して、上下線対称のモアレを観察する。これにより、ユーザは位置合わせができていることを認識する。
【００３７】
次に、図１０に示すように、位相差板１８が、三次元領域４０に対して、右周りに回転している場合について説明する。この状態では、上半分において、左目用位相差部４８の右上部及び左上部の領域９１が、右目用画像出力部４２の左下部と重なる。これにより、上半分において、右目用画像出力部４２から出力された緑色の光の一部が、左目用位相差部４８の三角形状の領域９１を透過して漏れる。また、下半分において、右目用位相差部４６の右上部及び左下部の領域９３が、左目用画像出力部４４の右上部と重なる。これにより、下半分において、左目用画像出力部４４から出力された赤色の光の一部が、右目用位相差部４６の三角形状の領域９３を透過して漏れる。このため、ユーザは、これらの漏れ画像を含む画像を、水平方向から傾斜した歪んだ縞状、即ち、モアレ縞として観察する。従って、ユーザは、位相差板１８が正常な位置から回転または傾斜していることを認識できる。ユーザは、このモアレ縞が水平になるように位相差板１８を回転または傾斜させて、位相差板１８の回転方向における位相差板１８の位置合わせをする。
【００３８】
次に、図１１に示すように、位相差板１８が、三次元領域４０よりも紙面の上方にずれている場合について説明する。この状態では、右目用位相差部４６及び左目用位相差部４８が、対応する右目用画像出力部４２及び左目用画像出力部４４に対して、紙面の上方にずれている。この場合、図９と同様の画像を出力すると、左目用位相差部４８の領域９１が、右目用画像出力部４２の下部と重なる。これにより、上半分において、右目用画像出力部４２から出力された緑色の光の一部が、左目用位相差部４８の上部を透過して漏れる。また、右目用位相差部４６の領域９３が、左目用画像出力部４４の上部と重なる。これにより、下半分において、左目用画像出力部４４から出力された赤色の光の一部が、右目用位相差部４６の上部を透過して漏れる。ここで、上述したように、右目用位相差部４６及び左目用位相差部４８の形状及び周期は、右目用画像出力部４２及び左目用画像出力部４４の形状及び周期よりも小さい。従って、これらの漏れる光の領域が、上述した形状及び周期の違いによって、中心線を挟み上下で非対称になる。このため、ユーザは、これらの漏れ画像を含む画像を、水平方向に略平行ではあるが、中心線を挟み上下方向に非対称な縞状、即ち、モアレ縞として観察する。これにより、ユーザは位相差板１８が上下方向のいずれかに位置ずれしていることを認識できる。従って、ユーザは、このモアレ縞が中心線を挟み上下対称になるように位相差板１８を移動させることにより、位相差板１８の各辺に沿った方向における位相差板１８の位置合わせをする。
【００３９】
上述したように、離型フィルム付き位相差板６０は、離型フィルム６８が複数の離型フィルムからなる。これにより、ユーザは、吸着層２２を実際に覆う離型フィルムの面積が位相差板１８全体の面積に対して、面積が最も小さい一の離型フィルムだけを位相差板１８から引き剥がして、露出した吸着層２２を表示部１６に貼り合わせる。この結果、ユーザは、位相差板１８を円滑に移動させ微調整が可能となり、容易にかつ正確に位置合わせできる。
【００４０】
本実施形態の貼り付け工程では、三次元画像に対応した画像を出力しつつ、ユーザが位相差板１８を位置合わせできる。これにより、位相差板１８の位置合わせの精度を向上させることができる。この結果、三次元画像のクロストークを抑制して、画質を向上させることができる。
【００４１】
上述の実施形態では、位相差板１８が入力された直線偏光を円偏光に変調させる例を示したが、位相差板が、直線偏光を偏光軸の方向が異なる偏光に変調させるように構成してもよく、円偏光を直線偏光に変調させるように構成してもよい。
【００４２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４４】
１０  制御装置、      １２  枠体、      １４  操作部、      １６  表示部、      １８  位相差板、      ２２  吸着層、      ２４  位相差部、      ２６  右目用レンズ、      ２８  左目用レンズ、      ３０  眼鏡、      ３２  光源、      ３４  偏光板、      ３６  画像出力部、      ３８  偏光板、      ４０  三次元領域、      ４２  右目用画像出力部、      ４４  左目用画像出力部、      ４６  右目用位相差部、      ４８  左目用位相差部、      ６０  離型フィルム付き位相差板、      ６１  離型フィルム、      ６２  離型フィルム、      ６３  離型フィルム、      ６８  離型フィルム、      ９０  緑色領域、      ９１  領域、      ９２  赤色領域、      ９３  領域、      ９４  無画像領域
【図１】
0005885530.tif 000002
【図２】
0005885530.tif 000003
【図３】
0005885530.tif 000004
【図４】
0005885530.tif 000005
【図５】
0005885530.tif 000006
【図６】
0005885530.tif 000007
【図７】
0005885530.tif 000008
【図８】
0005885530.tif 000009
【図９】
0005885530.tif 000010
【図１０】
0005885530.tif 000011
【図１１】
0005885530.tif 000012